(57)【要約】【課題】コモンモードノイズによる遠隔制御の誤動作及び不動作の抑制を図る。【解決手段】点灯装置１は、カットオフ周波数ｆｃ以上の周波数の電流を遮断するフィルタ１０１を備える。点灯装置１は、交流電圧を直流電圧に変換してＬＥＤ２２０に供給する昇圧チョッパ回路１０３、降圧チョッパ回路１０４を備える。点灯装置１は、制御信号を受け取り、受け取った制御信号に応じて電力変換回路を制御する制御回路１０６を備える。フィルタ１０１は、電力系統と電力変換回路を電気的に接続する電路に挿入されるコモンモードチョークコイル１０１０と、電路と導電性の筐体ケース１８間に電気的に接続される接地用コンデンサ１０１１とを有する。フィルタ１０１のカットオフ周波数ｆｃは、制御信号を伝送する無線信号の搬送波周波数ｆＲよりも低い。昇圧チョッパ回路１０３の搬送波周波数ｆＲよりも高い動作周波数で動作する。【選択図】        図３
2020107527.tif 000002
【特許請求の範囲】
【請求項１】
交流の電力系統と電気的に接続され、カットオフ周波数以上の周波数の電流を遮断するフィルタと、
前記電力系統から入力されて前記フィルタを通過する交流電圧を直流電圧に変換して固体光源に供給する電力変換回路と、
制御信号を受け取り、受け取った前記制御信号に応じて前記電力変換回路を制御する制御回路と
を備え、
前記フィルタは、
前記電力系統と前記電力変換回路を電気的に接続する電路に挿入されるコモンモードチョークコイルと、
前記電路と導電性の筐体間に電気的に接続される少なくとも一つのコンデンサと、
を有し、
前記電力変換回路は、少なくとも一つのスイッチング電源回路を有し、
前記フィルタのカットオフ周波数は、前記制御信号を伝送する無線信号の搬送波周波数よりも低く、
前記スイッチング電源回路は、前記搬送波周波数よりも高い動作周波数で動作する、
点灯装置。
【請求項２】
前記コンデンサは、フィルムコンデンサである、
請求項１記載の点灯装置。
【請求項３】
前記コンデンサは、４ｋＶ以上の耐電圧を有する、
請求項１又は２記載の点灯装置。
【請求項４】
前記フィルタは、雰囲気温度が２５℃のときのカットオフ周波数に対して、前記雰囲気温度が８５℃のときのカットオフ周波数の変化率を２０％以内とする、
請求項１〜３のいずれか１項に記載の点灯装置。
【請求項５】
赤外線を通信媒体とする前記無線信号を受信する受信回路を備える、
請求項１〜４のいずれか１項に記載の点灯装置。
【請求項６】
請求項１〜５のいずれか１項の点灯装置と、
前記点灯装置によって点灯させられる固体光源と
を備える、
光源ユニット。
【請求項７】
前記無線信号を受信し、受信した前記無線信号から前記制御信号を取得する無線装置を備える、
請求項６記載の光源ユニット。
【請求項８】
請求項６又は７の光源ユニットと、
前記光源ユニットを支持する器具本体と
を備える、
照明器具。
【発明の詳細な説明】
【技術分野】
【０００１】
本開示は、点灯装置、光源ユニット及び照明器具に関する。より詳細には、本開示は、赤外線を媒体とする無線信号に応じて光源を点灯させる点灯装置に関する。また、本開示は、前記点灯装置と前記光源を備える光源ユニット、及び前記光源ユニットと器具本体を備える照明器具に関する。
【背景技術】
【０００２】
従来例として特許文献１記載の赤外線リモートコントロール付き照明装置を例示する。当該従来例は、蛍光ランプと、蛍光ランプを点灯させる蛍光ランプ点灯装置と、赤外線リモートコントロール信号を受信して蛍光ランプ点灯装置を制御する赤外線リモートコントロール信号受信器とを具備している。さらに、赤外線リモートコントロール信号受信器は、赤外線受光手段と、赤外線リモートコントロール信号の搬送波周波数を通過域に含み、かつ、通過域より周波数が高い減衰域に蛍光ランプの点灯周波数が含まれる電気的フィルタとを備える。つまり、前記従来例は、赤外線受光手段の電気出力に含まれる蛍光ランプの赤外光成分を電気的フィルタで減衰させることにより、赤外線リモートコントロール信号による遠隔制御の誤動作及び不動作の抑制を図っている。
【先行技術文献】
【特許文献】
【０００３】
【特許文献１】特開２００５−２６８１５９号公報
【発明の概要】
【発明が解決しようとする課題】
【０００４】
ところで、特許文献１記載の従来例では、蛍光ランプ点灯装置に流れるコモンモードノイズの周波数と、赤外線リモートコントロール信号の搬送波周波数とが近い場合に、コモンモードノイズによって遠隔制御の誤動作及び不動作が生じる可能性がある。
【０００５】
本開示の目的は、コモンモードノイズによる遠隔制御の誤動作及び不動作の抑制を図ることができる点灯装置、光源ユニット及び照明器具を提供することである。
【課題を解決するための手段】
【０００６】
本開示の一態様に係る点灯装置は、交流の電力系統と電気的に接続され、カットオフ周波数以上の周波数の電流を遮断するフィルタと、前記電力系統から入力されて前記フィルタを通過する交流電圧を直流電圧に変換して固体光源に供給する電力変換回路とを備える。前記点灯装置は、制御信号を受け取り、受け取った前記制御信号に応じて前記電力変換回路を制御する制御回路を備える。前記フィルタは、前記電力系統と前記電力変換回路を電気的に接続する電路に挿入されるコモンモードチョークコイルと、前記電路と導電性の筐体間に電気的に接続される少なくとも一つのコンデンサとを有する。前記電力変換回路は、少なくとも一つのスイッチング電源回路を有する。前記フィルタのカットオフ周波数は、前記制御信号を伝送する無線信号の搬送波周波数よりも低い。前記スイッチング電源回路は、前記搬送波周波数よりも高い動作周波数で動作する。
【０００７】
本開示の一態様に係る光源ユニットは、前記点灯装置と、前記点灯装置によって点灯させられる固体光源とを備える。
【０００８】
本開示の一態様に係る照明器具は、前記光源ユニットと、前記光源ユニットを支持する器具本体とを備える。
【発明の効果】
【０００９】
本開示の点灯装置、光源ユニット及び照明器具は、コモンモードノイズによる遠隔制御の誤動作及び不動作の抑制を図ることができるという効果がある。
【図面の簡単な説明】
【００１０】
【図１】図１は、実施形態に係る照明器具の斜視図である。
【図２】図２は、実施形態に係る光源ユニット及び同上の照明器具の分解斜視図である。
【図３】図３は、実施形態に係る点灯装置の回路図である。
【図４】図４は、同上の光源ユニットにおける無線装置の分解斜視図である。
【図５】図５は、同上の光源ユニットにおける無線装置の取付部分を示す、一部省略した斜視図である。
【図６】図６は、同上の点灯装置におけるフィルタのフィルタ特性図である。
【図７】図７は、同上の点灯装置におけるフィルタの温度特性を示す図である。
【発明を実施するための形態】
【００１１】
以下、本開示の点灯装置、光源ユニット及び照明器具のそれぞれに係る実施形態について、図面を参照して詳細に説明する。ただし、実施形態において説明する各図は模式的な図であり、各構成要素の大きさ及び厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
まず、実施形態の照明器具３を説明する。
【００１３】
実施形態の照明器具３は、図１及び図２に示すように、実施形態の光源ユニット２と、光源ユニット２を支持する器具本体４とを有している。光源ユニット２は、天井に直付けされる器具本体４に着脱可能に取り付けられる。ただし、器具本体４は、天井に埋め込まれてもよいし、あるいは、壁に直付けされてもよいし、壁に埋め込まれてもよい。
【００１４】
器具本体４は、下面が開放された矩形箱状の収容部４０と、収容部４０の長手方向に沿った両側の開口端縁より斜め上向きに突出する一対の反射板４１と、収容部４０及び一対の反射板４１の長手方向の両端に設けられた一対のエンド板４２とを備える（図２参照）。器具本体４は、収容部４０の底面に設けられている複数の取付孔４００のうちの少なくともいずれか二つの取付孔４００に吊りボルト（不図示）がそれぞれ挿通され、それらの吊りボルトにナット（不図示）が締め付けられることで天井に設置される。また、収容部４０の底面に設けられている複数の電源孔４０１のうちのいずれか一つの電源孔４０１に電源線が挿通される。電源孔４０１に挿通された電源線は、端子台（不図示）を介して、点灯装置１と電気的に接続される。
【００１５】
光源ユニット２は、図２に示すように、実施形態の点灯装置１と、点灯装置１によって点灯させられる二つのＬＥＤモジュール２２とを備えている。また、光源ユニット２は、取付部材２１と、カバー２３と、無線装置５とを備えることが好ましい。
【００１６】
ＬＥＤモジュール２２は、多数のＬＥＤ２２０と、基板２２１と、中継コネクタ２２３とを備えている。基板２２１は、長尺の矩形板状に形成されている。多数のＬＥＤ２２０は、基板２２１の表面（下面）における短手方向の中央に、基板２２１の長手方向に沿って等間隔かつ一列に並べて実装されている。中継コネクタ２２３は、それぞれのＬＥＤモジュール２２の基板２２１において、二つのＬＥＤモジュール２２同士が長手方向に沿って隣り合う側の端部にそれぞれ実装されている。一方のＬＥＤモジュール２２（図２における右側のＬＥＤモジュール２２）に入力コネクタ２２２が実装されている。入力コネクタ２２２は、右側のＬＥＤモジュール２２の基板２２１において、中継コネクタ２２３が実装されている側と反対側の端部（右側の端部）に実装されている。
【００１７】
取付部材２１は、金属板によって長尺の角樋状に形成されている。取付部材２１は、長尺の矩形板状の底板２１０と、底板２１０の長手方向に沿った両端から上向きに立ち上がる一対の側板２１１とを有している。二つのＬＥＤモジュール２２は、互いの中継コネクタ２２３同士が電気的に接続された状態で、底板２１０から切り起こされている複数の爪によって底板２１０の下面に取り付けられている。なお、ＬＥＤモジュール２２の入力コネクタ２２２は、電線によって点灯装置１の出力用のコネクタと電気的に接続される。
【００１８】
カバー２３は、アクリル樹脂やポリカーボネート樹脂などの透光性を有する合成樹脂によって半円筒形状に形成されている。また、カバー２３は、長手方向に沿って上向きに突出する一対の突壁２３３を有している。カバー２３は、一対の突壁２３３の間に取付部材２１を収容し、取付部材２１の一対の側板２１１の先端（上端）に、一対の突壁２３３の先端（上端）に形成されている引掛部が引っ掛けられることで取付部材２１に取り付けられる。
【００１９】
点灯装置１は、プリント回路板１９と、プリント回路板１９を収容するケース１８とを有する。プリント回路板１９は、長方形状のプリント配線板に集積回路を含む種々の電子部品が実装されて構成されている。ケース１８は、金属板により、一面（下面）が開口した長尺の矩形箱状に形成されている。ケース１８は、プリント回路板１９を収容し、開口面を底板２１０の上面に向けるようにして取付部材２１に固定される。なお、ケース１８は、取付部材２１に固定された状態において、取付部材２１と電気的に接続されている。さらに、取付部材２１は、光源ユニット２が器具本体４に取り付けられた状態において器具本体４と電気的に接続されている。したがって、点灯装置１のケース１８は、取付部材２１を通して器具本体４と電気的に接続される。
【００２０】
点灯装置１の回路構成を図３に示す。点灯装置１は、入力コネクタ１００、フィルタ１０１、整流器１０２、電力変換回路、出力コネクタ１０５、制御回路１０６、制御電源回路１０７、調光制御回路１０８、消灯制御回路１０９、制御用コネクタ１１０を備える。電力変換回路は、昇圧チョッパ回路１０３と降圧チョッパ回路１０４の二つのスイッチング電源回路を備えている。ただし、電力変換回路は、昇圧チョッパ回路１０３に代えて、降圧チョッパ回路、昇降圧チョッパ回路、フライバックコンバータなどの力率改善機能を有するスイッチング電源回路を備えていればよい。また、電力変換回路は、降圧チョッパ回路１０４に代えて、種々のチョッパ回路、シリーズレギュレータによる定電流回路などを備えてもよい。あるいは、電力変換回路は、力率改善機能と定電流制御機能を有するコンバータ回路であってもかまわない。
【００２１】
入力コネクタ１００は、商用の電力系統（交流電源９）と電気的に接続される。フィルタ１０１は、コモンモードチョークコイル１０１０と、接地用コンデンサ（ライン・バイパス・コンデンサ）１０１１とを有する。ただし、接地用コンデンサ１０１１は、複数のコンデンサが電気的に直列接続されて構成されてもよい。
【００２２】
整流器１０２は、ダイオードブリッジで構成される。整流器１０２の一対の交流入力端子は、フィルタ１０１及び入力コネクタ１００を介して交流電源９と電気的に接続される。整流器１０２は、交流電源９から供給される交流電圧及び交流電流を全波整流した脈流電圧及び脈流電流を一対の脈流出力端子から出力する。ただし、整流器１０２の一対の脈流出力端子間には、脈流電圧及び脈流電流のリップルを抑制するためのコンデンサＣｒが電気的に接続されている。さらに、整流器１０２の低電位側の脈流出力端子は、接地用コンデンサ１０１１を介してグランド（ケース１８）と電気的に接続されている。なお、接地用コンデンサ１０１１に用いられるコンデンサは、耐圧が４ｋＶ以上であることが好ましい。
【００２３】
昇圧チョッパ回路１０３は、チョークコイルＬ１、スイッチング素子Ｑ１、整流素子Ｄ１、平滑コンデンサＣ１などで構成される、スイッチング電源回路（力率改善回路）である。また、降圧チョッパ回路１０４は、スイッチング素子Ｑ２、インダクタＬ２、整流素子Ｄ２、抵抗Ｒ１、平滑コンデンサＣ２などで構成される。整流器１０２から出力される脈流電圧が昇圧チョッパ回路１０３で昇圧され、昇圧チョッパ回路１０３から出力される直流電圧が降圧チョッパ回路１０４で降圧される。出力コネクタ１０５は、レセプタクルコネクタからなり、降圧チョッパ回路１０４の出力端子（平滑コンデンサＣ２の両端）と電気的に接続される。
【００２４】
制御回路１０６は、昇圧チョッパ回路１０３のスイッチング素子Ｑ１をスイッチングし、昇圧チョッパ回路１０３の出力電圧を一定に維持する。さらに、制御回路１０６は、降圧チョッパ回路１０４のスイッチング素子Ｑ２をスイッチングし、降圧チョッパ回路１０４の出力電流を目標値に一致させる。制御電源回路１０７は、昇圧チョッパ回路１０３の出力電圧から制御電圧（例えば、５Ｖ〜３Ｖ程度の直流電圧）を生成する。制御回路１０６は、制御電源回路１０７から供給される制御電圧で動作する。
【００２５】
制御用コネクタ１１０は、レセプタクルコネクタからなり、無線装置５のプラグコネクタ５３（図５参照）が差込接続される。後述するように、無線装置５から出力される制御信号が制御用コネクタ１１０を介して調光制御回路１０８と消灯制御回路１０９に入力される。
【００２６】
消灯制御回路１０９は、制御信号に応じて、点灯中のＬＥＤモジュール２２を消灯させるための消灯信号を生成して制御回路１０６に出力する。制御回路１０６は、消灯信号を受け取ると、スイッチング素子Ｑ２のスイッチングを中止して降圧チョッパ回路１０４を停止させ、ＬＥＤモジュール２２を消灯する。ただし、制御回路１０６は、消灯信号を受け取った場合、スイッチング素子Ｑ２だけでなくスイッチング素子Ｑ１のスイッチングも中止して昇圧チョッパ回路１０３と降圧チョッパ回路１０４を双方とも停止させてもよい。このように昇圧チョッパ回路１０３と降圧チョッパ回路１０４の双方が停止すれば、降圧チョッパ回路１０４のみが停止する場合と比較して、消灯中における点灯装置１の消費電力が削減される。
【００２７】
また、調光制御回路１０８は、制御信号に応じて、ＬＥＤモジュール２２の光出力（調光レベル）を指示する調光信号を生成して制御回路１０６に出力する。なお、調光レベルは、定格電力が供給されているときのＬＥＤモジュール２２の光出力を１００％としたとき、ＬＥＤモジュール２２に供給される単位時間当たりの平均電力の定格電力に対する比率（％）で表される。例えば、ＬＥＤモジュール２２に供給される単位時間当たりの平均電力が定格電力の半分のとき、調光レベルが５０％となる。言い換えると、調光制御回路１０８は、制御信号で指示される調光レベルが５０％であれば、降圧チョッパ回路１０４からＬＥＤモジュール２２に供給される単位時間当たりの平均電力を定格電力の半分にするように指示する調光信号を生成する。制御回路１０６は、調光制御回路１０８から受け取る調光信号に応じて、スイッチング素子Ｑ２のオンデューティ比を調整することが好ましい。更に詳しく説明すると、調光制御回路１０８は、抵抗Ｒ１の両端電圧から降圧チョッパ回路１０４の出力電流を検出し、当該出力電流の平均値を調光レベルに対応した目標値に一致させるように、調光信号を生成することが好ましい。
【００２８】
無線装置５は、図４に示すように、回路ブロック５０、筐体５１、信号ケーブル５２、プラグコネクタ５３などを備えている。回路ブロック５０は、回路基板５０Ａと、回路カバー５０Ｂとを有している。
【００２９】
回路ブロック５０は、図３に示すように、アンテナ５００、無線通信回路５０１、無線制御回路５０２、赤外線通信回路５０３、フォトカプラ５０４、抵抗Ｒ２、Ｒ３、信号出力端子５０５などを有している。回路基板５０Ａは、第１領域５０ＡＡと第２領域とに分けられている（図４参照）。第１領域５０ＡＡには、アンテナ５００を構成する導体が形成されている。また、第２領域には、アンテナ５００を除く、無線通信回路５０１、無線制御回路５０２、赤外線通信回路５０３、フォトカプラ５０４、抵抗Ｒ２、Ｒ３、信号出力端子５０５などが実装されている。なお、回路カバー５０Ｂは、電磁波を遮断する材料、例えば、銅板又はアルミ板などの金属板で箱状に形成され、第２領域を覆うように回路基板５０Ａに取り付けられている。
【００３０】
無線通信回路５０１は、アンテナ５００で受信する無線信号、例えば、９２０ＭＨｚ帯の電波を媒体とする無線信号を受信し、当該無線信号から制御指令を取得する。なお、無線信号は、送信機から送信され、光源ユニット２の点灯・消灯や調光レベルの調整などを行うための制御指令を伝送する。無線通信回路５０１は、無線信号から取得した制御指令を無線制御回路５０２に出力する。無線制御回路５０２は、例えば、マイクロコントローラで構成されることが好ましい。無線制御回路５０２は、無線通信回路５０１から受け取った制御指令を伝送するための制御信号を生成する。また、無線制御回路５０２は、制御信号が伝送される一対の信号線と電気的に接続される。無線制御回路５０２には、フォトカプラ５０４の入力端子と、限流用の抵抗Ｒ２とが電気的に直列接続される。つまり、フォトカプラ５０４の入力端子には、信号線に伝送される制御信号が無線制御回路５０２を介して入力される。
【００３１】
信号出力端子５０５は、信号ケーブル５２を介して点灯装置１の制御用コネクタ１１０と電気的に接続される。信号ケーブル５２は３本の電線５２Ａ、５２Ｂ、５２Ｃで構成される。そして、点灯装置１のグランドとフォトカプラ５０４の負極側の出力端子（フォトトランジスタのエミッタ）とが１本の電線５２Ａで電気的に接続される。また、制御電源回路１０７の出力端子と抵抗Ｒ３の一端との接続点が、他の１本の電線５２Ｂで電気的に接続される。さらに、抵抗Ｒ３の他端とフォトカプラ５０４の正極側の出力端子（フォトトランジスタのコレクタ）の接続点が、残り１本の電線５２Ｃで調光制御回路１０８及び消灯制御回路１０９と電気的に接続される。つまり、抵抗Ｒ３とフォトトランジスタの直列回路には常に一定の制御電源電圧が印加される。そのため、調光制御回路１０８及び消灯制御回路１０９に入力される制御信号は、フォトカプラ５０４の入力電圧がハイレベルのときにローレベルとなり、フォトカプラ５０４の入力電圧がローレベルのときにハイレベルとなる。例えば、無線制御回路５０２で生成される制御信号がパルス幅変調（ＰＷＭ）信号である場合を想定する。この場合、無線制御回路５０２は、制御指令の調光レベルが１００％のときに制御信号のデューティ比を９５％とし、調光レベルが低く（暗く）なるにつれてデューティ比を減少させればよい。調光制御回路１０８は、無線制御回路５０２から伝送される制御信号のデューティ比が９５％のときに調光レベルを１００％とし、デューティ比が減少するにつれて調光レベルを減少させればよい。また、消灯制御回路１０９は、制御信号のデューティ比が下限値（例えば、１０％）以下のときに、消灯信号を出力すればよい。
【００３２】
赤外線通信回路５０３は、赤外線を媒体とする無線通信を行う。すなわち、赤外線通信回路５０３は、回路基板５０Ａの第２領域に実装されている赤外線受光素子５０３Ａで赤外線信号を受信（受光）し、受信した赤外線信号から取得する設定情報及び制御情報を無線制御回路５０２に出力する。なお、設定情報は、例えば、無線信号（電波）の送信元である送信機に割り当てられている固有の識別情報である。また、制御情報は、光源ユニット２を点灯させる点灯司令、光源ユニット２を消灯させる消灯指令、及び光源ユニット２の調光レベルを指示する調光指令の各指令を含む情報である。なお、赤外線信号は、例えば、一般財団法人家電製品協会によって規定された規格、いわゆる、家電協フォーマットに準拠している。家電協フォーマットでは、波長のピーク値が９００〜９５０ｎｍの赤外線であり、デューティ比が５０％、周波数が３３ｋＨｚ以上、４０ｋＨｚ以下の方形波からなる搬送波が使用される。
【００３３】
無線制御回路５０２は、赤外線通信回路５０３から受け取った設定情報を、マイクロコントローラに内蔵されているメモリに記憶する。無線通信回路５０１は、アンテナ５００で受信する無線信号から、制御指令だけでなく、送信元の送信機の識別情報を取得して無線制御回路５０２に出力する。無線制御回路５０２は、無線通信回路５０１から受け取った識別情報がメモリに記憶（登録）されている識別情報と一致すれば、無線通信回路５０１から受け取った制御指令を伝送するための制御信号を生成する。一方、無線制御回路５０２は、無線通信回路５０１から受け取った識別情報がメモリに記憶されている識別情報と一致しなければ、無線通信回路５０１から受け取った制御指令を破棄して制御信号を生成しない。つまり、無線制御回路５０２は、無線通信回路５０１が複数の送信機から無線信号を受信可能であっても、識別情報があらかじめ登録されている特定の送信機から送信される制御指令だけを受け入れる。
【００３４】
無線制御回路５０２は、赤外線通信回路５０３から制御情報を受け取ると、受け取った制御情報に含まれる指令（点灯指令、消灯指令、調光指令）を伝送するための制御信号を生成する。無線制御回路５０２は、点灯指令を伝送する場合、デューティ比を９５％としたＰＷＭ信号からなる制御信号を生成する。また、無線制御回路５０２は、消灯指令を伝送する場合、デューティ比を下限値以下としたＰＷＭ信号からなる制御信号を生成する。さらに、無線制御回路５０２は、調光指令を伝送する場合、調光指令で指示された調光レベルに対応するデューティ比のＰＷＭ信号からなる制御信号を生成する。
【００３５】
筐体５１は、図４に示すように、ボディ５１０とカバー５１１を備えている。ボディ５１０は、一面（下面）が開放された箱状の合成樹脂成形体で構成されている。ボディ５１０は、短手方向に対向する２つの側壁のうちの一方の側壁に、信号ケーブル５２が挿通される挿通溝５１００が設けられている。また、ボディ５１０は、２つの雌ねじ部５１０１を有している。さらに、ボディ５１０は、長手方向に対向する２つの側壁に、一対の引掛孔５１０２がそれぞれ短手方向に並ぶように設けられている。
【００３６】
カバー５１１は、矩形板状の蓋体５１１０と、二対の固定脚５１１１と、アンテナ収容部５１１２とを有している。固定脚５１１１は、蓋体５１１０の短手方向に沿った両端から、それぞれ上向きに突出するように形成されている。なお、これら二対の固定脚５１１１の先端（上端）には、外向きに突出する引掛爪５１１１０が設けられている。アンテナ収容部５１１２は、へん平な矩形箱状に形成されている。また、アンテナ収容部５１１２は、蓋体５１１０の下面から下向きに突出し、蓋体５１１０の上面に開口するように蓋体５１１０と一体に形成されている。また、アンテナ収容部５１１２の長手方向の端部には、蓋体５１１０の厚み方向（上下方向）に貫通する貫通孔５１１３が設けられている。
【００３７】
ボディ５１０とカバー５１１は、カバー５１１の二対の固定脚５１１１がボディ５１０の四つの引掛孔５１０２に引っ掛けられることによって結合される。回路ブロック５０は、回路カバー５０Ｂが取り付けられている回路基板５０Ａの第２領域がボディ５１０内に収容され、回路基板５０Ａの第１領域５０ＡＡ（アンテナ５００）がアンテナ収容部５１１２に収容される。なお、カバー５１１の貫通孔５１１３は、回路基板５０Ａの第２領域に実装されている赤外線受光素子５０３Ａの受光部と対向している。つまり、図示しない設定器（ワイヤレスリモートコントローラ）から送信される赤外線信号は、筐体５１（カバー５１１）の貫通孔５１１３を通して赤外線受光素子５０３Ａに受信（受光）される。
【００３８】
無線装置５は、図５に示すように、取付部材２１の底板２１０に取り付けられる。底板２１０の長手方向の一端部（図２における左端部）に長方形の開口部２１３が設けられている。無線装置５の筐体５１は、アンテナ収容部５１１２を底板２１０の上面側から下面側に向かって開口部２１３に通した状態で底板２１０の上面に固定される。つまり、無線装置５は、アンテナ収容部５１１２を開口部２１３から底板２１０の下面側に突き出させた状態で取付部材２１に取り付けられる（図５参照）。また、筐体５１の貫通孔５１１３は、開口部２１３を通して底板２１０の下面側に露出している。したがって、ワイヤレスリモートコントローラから送信される赤外線信号は、透光性を有するカバー２３を透過し、底板２１０の開口部２１３から露出する貫通孔５１１３を通して赤外線通信回路５０３の赤外線受光素子５０３Ａに受光（受信）される。
【００３９】
ここで、点灯装置１の昇圧チョッパ回路１０３から接地用コンデンサ１０１１を通してケース１８に流れるコモンモードノイズ（漏えい電流）の周波数と、赤外線信号の搬送波周波数との差が小さいほど、コモンモードノイズが赤外線信号に干渉する可能性が高い。そして、コモンモードノイズが赤外線信号と干渉した場合、無線装置５（無線装置５による遠隔制御）が誤動作したり、不動作となる可能性が高まる。なお、コモンモードノイズは、主として、昇圧チョッパ回路１０３のスイッチング素子Ｑ１のスイッチング動作に起因して発生する。ゆえに、コモンモードノイズの周波数は、スイッチング素子Ｑ１のスイッチング周波数（昇圧チョッパ回路１０３の動作周波数）と一致する。
【００４０】
そこで、点灯装置１では、コモンモードチョークコイル１０１０と接地用コンデンサ１０１１とで構成されるコモンモードノイズ用のフィルタ１０１（低域通過フィルタ）のカットオフ周波数ｆｃを赤外線信号の搬送波周波数ｆＲよりも低くしている（図６参照）。言い換えると、コモンモードチョークコイル１０１０のインダクタンス及び接地用コンデンサ１０１１の静電容量は、カットオフ周波数ｆｃを搬送波周波数ｆＲよりも低くする値とされている。なお、カットオフ周波数ｆｃは、２０ｋＨｚ程度が好ましい。さらに、点灯装置１では、昇圧チョッパ回路１０３の動作周波数（スイッチング周波数）を搬送波周波数ｆＲよりも高い周波数（例えば、５５ｋＨｚ）とすることが好ましい。つまり、昇圧チョッパ回路１０３の動作周波数を搬送波周波数ｆＲよりも高くすれば、コモンモードノイズの周波数が搬送波周波数ｆＲよりも高くなるため、コモンモードノイズが赤外線信号に干渉する可能性を更に低くすることができる。
【００４１】
ところで、フィルタ１０１を構成する接地用コンデンサ１０１１には、通常、電気用品安全法（あるいは、日本工業規格ＪＩＳ  Ｃ  ５１０１−１４）に準拠したセラミックコンデンサが用いられることが多い。コンデンサの温度特性はコンデンサの種類によって異なっており、セラミックコンデンサ（例えば、高誘電率系積層セラミックコンデンサ）の温度特性は、フィルムコンデンサの温度特性に劣っていることが多い。例えば、図７の実線Ｘ１は、フィルムコンデンサの温度特性の一例を示し、実線Ｘ２は、高誘電率系積層セラミックコンデンサの温度特性の一例を示している。なお、図７の横軸は温度（雰囲気温度：単位は℃）を示し、縦軸は２５℃のときの静電容量を基準とする静電容量の変化率（％）を示している。
【００４２】
例えば、光源ユニット２の点灯中に点灯装置１の周囲の雰囲気温度が６０℃まで上昇したと仮定する。このとき、フィルムコンデンサの静電容量の変化率（％）が２ないし３％である（図７の実線Ｘ１参照）のに対し、セラミックコンデンサの静電容量の変化率（％）は−３６ないし−３８％にまで達する。セラミックコンデンサで構成された接地用コンデンサの静電容量が３６％低下した場合、コモンモードチョークコイルのインダクタの温度変化を考慮しなければ、カットオフ周波数は約１．６７倍まで上昇する。つまり、２５℃のときのカットオフ周波数が２０ｋＨｚであれば、６０℃のときのカットオフ周波数は２０ｋＨｚ×１．６７＝３３．４ｋＨｚとなり、搬送波周波数ｆＲとほぼ同じ周波数になってしまう。
【００４３】
そのため、点灯装置１では、フィルタ１０１の接地用コンデンサ１０１１をセラミックコンデンサではなく、温度特性に優れたフィルムコンデンサで構成することが好ましい。点灯装置１は、接地用コンデンサ１０１１をフィルムコンデンサで構成することにより、温度上昇に伴うカットオフ周波数ｆｃの変化を抑えることができる。その結果、点灯装置１は、光源ユニット２の消灯中だけでなく点灯中においても、無線装置５による遠隔制御の誤動作及び不動作の抑制を図ることができる。
【００４４】
上述のように第１の態様に係る点灯装置（１）は、交流の電力系統（交流電源９）と電気的に接続され、カットオフ周波数（ｆｃ）以上の周波数の電流を遮断するフィルタ（１０１）を備える。第１の態様に係る点灯装置（１）は、電力系統から入力されてフィルタ（１０１）を通過する交流電圧を直流電圧に変換して固体光源（ＬＥＤ２２０）に供給する電力変換回路（昇圧チョッパ回路１０３、降圧チョッパ回路１０４）を備える。第１の態様に係る点灯装置（１）は、制御信号を受け取り、受け取った制御信号に応じて電力変換回路を制御する制御回路（１０６）を備える。フィルタ（１０１）は、電力系統と電力変換回路を電気的に接続する電路に挿入されるコモンモードチョークコイル（１０１０）と、電路と導電性の筐体（ケース１８）間に電気的に接続される少なくとも一つのコンデンサ（接地用コンデンサ１０１１）とを有する。電力変換回路は、少なくとも一つのスイッチング電源回路（昇圧チョッパ回路１０３）を有する。フィルタ（１０１）のカットオフ周波数（ｆｃ）は、制御信号を伝送する無線信号の搬送波周波数（ｆＲ）よりも低い。スイッチング電源回路は、搬送波周波数（ｆＲ）よりも高い動作周波数で動作する。
【００４５】
第１の態様に係る点灯装置（１）は、コンデンサを通して筐体（ケース１８）に流れるコモンモードノイズの周波数を無線信号の搬送波周波数（ｆＲ）よりも低くするので、制御信号に対するコモンモードノイズの影響を低減できる。さらに、第１の態様に係る点灯装置（１）は、スイッチング電源回路の動作周波数を搬送波周波数（ｆＲ）よりも高くすることによっても制御信号に対するコモンモードノイズの影響を低減できる。その結果、第１の態様に係る点灯装置（１）は、コモンモードノイズによる遠隔制御の誤動作及び不動作の抑制を図ることができる。
【００４６】
第２の態様に係る点灯装置（１）は、第１の態様との組合せにより実現され得る。第２の態様に係る点灯装置（１）において、コンデンサは、フィルムコンデンサであることが好ましい。
【００４７】
第２の態様に係る点灯装置（１）は、温度特性に優れるフィルムコンデンサをフィルタ（１０１）に用いるので、固体光源の消灯中だけでなく点灯中においてもコモンモードノイズによる遠隔制御の誤動作及び不動作の抑制を図ることができる。
【００４８】
第３の態様に係る点灯装置（１）は、第１又は第２の態様との組合せにより実現され得る。第３の態様に係る点灯装置（１）において、コンデンサは、４ｋＶ以上の耐電圧を有することが好ましい。
【００４９】
第３の態様に係る点灯装置（１）は、雷サージなどの異常な高電圧によってコンデンサが損傷することを抑えることができる。
【００５０】
第４の態様に係る点灯装置（１）は、第１〜第３の態様のいずれかとの組合せにより実現され得る。第４の態様に係る点灯装置（１）において、フィルタ（１０１）は、雰囲気温度が２５℃のときのカットオフ周波数（ｆｃ）に対して、雰囲気温度が８５℃のときのカットオフ周波数（ｆｃ）の変化率を２０％以内とすることが好ましい。
【００５１】
第４の態様に係る点灯装置（１）は、雰囲気温度が大きく変化する環境においても、コモンモードノイズによる遠隔制御の誤動作及び不動作の抑制を図ることができる。
【００５２】
第５の態様に係る点灯装置（１）は、第１〜第４の態様のいずれかとの組合せにより実現され得る。第５の態様に係る点灯装置（１）において、赤外線を通信媒体とする無線信号を受信する受信回路（赤外線通信回路５０３）を備えることが好ましい。
【００５３】
第５の態様に係る点灯装置（１）は、受信回路を備えることによって無線信号を直接受信することができる。
【００５４】
第６の態様に係る光源ユニット（２）は、点灯装置（１）と、点灯装置（１）によって点灯させられる固体光源とを備える。
【００５５】
第６の態様に係る光源ユニット（２）は、コモンモードノイズによる遠隔制御の誤動作及び不動作の抑制を図ることができる。
【００５６】
第７の態様に係る光源ユニット（２）は、第６の態様との組合せにより実現され得る。第７の態様に係る光源ユニット（２）において、無線信号を受信し、受信した無線信号から制御信号を取得する無線装置（赤外線通信回路５０３）を備える。
【００５７】
第７の態様に係る光源ユニット（２）は、無線装置を備えることによって使い勝手の向上を図ることができる。
【００５８】
第８の態様に係る照明器具（３）は、第６又は第７の態様に係る光源ユニット（２）と、光源ユニット（２）を支持する器具本体（４）とを備える。
【００５９】
第８の態様に係る照明器具（３）は、コモンモードノイズによる遠隔制御の誤動作及び不動作の抑制を図ることができる。
【符号の説明】
【００６０】
１  点灯装置
２  光源ユニット
３  照明器具
４  器具本体
９  交流電源（電力系統）
１８  ケース（筐体）
１０１  フィルタ
１０３  昇圧チョッパ回路（電力変換回路）
１０４  降圧チョッパ回路（電力変換回路）
１０６  制御回路
２２０  ＬＥＤ（固体光源）
５０３  赤外線通信回路（受信回路：無線装置）
１０１０  コモンモードチョークコイル
１０１１  接地用コンデンサ
ｆｃ  カットオフ周波数
ｆＲ  搬送波周波数
【図１】
2020107527.tif 000003
【図２】
2020107527.tif 000004
【図３】
2020107527.tif 000005
【図４】
2020107527.tif 000006
【図５】
2020107527.tif 000007
【図６】
2020107527.tif 000008
【図７】
2020107527.tif 000009